(57)【特許請求の範囲】
【請求項１】
第１の基板と、第２の基板と、前記第１の基板と前記第２の基板との間に挟持された液晶層とを有する液晶表示パネルを備え、
前記液晶表示パネルは、遮光膜と、マトリクス状に配置された複数のサブピクセルとを有し、
前記複数のサブピクセルの各々は、前記第１の基板上に形成された第１の電極と、前記第１の電極よりも上層に形成された第２の電極と、前記第２の基板上に形成されたカラーフィルタとを有し、
前記第１の電極と前記第２の電極とによって電界を発生させて前記液晶層の液晶を駆動する液晶表示装置であって、
前記第２の電極は、複数の線状部分を有し、
前記複数のサブピクセルは、表示ラインの方向に沿って隣接し、かつ前記カラーフィルタの色が同色の２つの隣接サブピクセルを含み、
前記遮光膜は、前記２つの隣接サブピクセル間の画素境界を除いて、前記複数のサブピクセルの各々の画素境界を覆うようにして前記第２の基板上に形成されており、
前記２つの隣接サブピクセルの各々の前記第２の電極は、互いに独立して形成され、
前記２つの隣接サブピクセルを一方の隣接サブピクセルと他方の隣接サブピクセルとするとき、少なくとも前記一方の隣接サブピクセルの前記第２の電極は、前記一方及び前記他方の隣接サブピクセル間の画素境界を越えて前記他方の隣接サブピクセルにも配置されていることを特徴とする液晶表示装置。
【請求項２】
前記一方の隣接サブピクセルの前記第２の電極は、前記複数の線状部分の少なくとも１本の線状部分が前記一方及び前記他方の隣接サブピクセル間の前記画素境界と平面的に重なるようにして配置されていることを特徴とする液晶表示装置。
【請求項３】
前記一方の隣接サブピクセルの前記第２の電極は、前記複数の線状部分の少なくとも１本の線状部分が前記他方の隣接サブピクセルの領域に配置されていることを特徴とする液晶表示装置。
【請求項４】
前記２つの隣接サブピクセルは、前記カラーフィルタが共通であることを特徴とする請求項１乃至請求項３の何れか１項に記載の液晶表示装置。
【請求項５】
前記複数のサブピクセルは、第１の色と、第２の色と、第３の色の順に配置された第１のグループの３つのサブピクセルと、前記第３の色と、前記第２の色と、前記第１の色の順に配置された第２のグループの３つのサブピクセルとに分割され、
前記第１のグループの３つのサブピクセルと、前記第２のグループの３つのサブピクセルとが、前記表示ラインの方向に交互に配置されていることを特徴とする請求項１乃至請求項４の何れか１項に記載の液晶表示装置。
【請求項６】
前記液晶表示パネルは、前記一方の隣接サブピクセルに映像信号を入力する第１の映像線と、前記他方の隣接サブピクセルに映像信号を入力する第２の映像線とを有し、
前記第１の映像線と前記第２の映像線は、前記一方及び前記他方の隣接サブピクセル間の前記画素境界を境にして対向配置されていることを特徴とする請求項１乃至請求項５の何れか１項に記載の液晶表示装置。
【請求項７】
前記第２の電極は、絶縁膜を介在して前記第１の電極よりも上層に積層されていることを特徴とする請求項１乃至請求項６の何れか１項に記載の液晶表示装置。
【請求項８】
前記第２の電極は、画素電極であり、
前記第１の電極は、面状の対向電極であることを特徴とする請求項７に記載の液晶表示装置。
【請求項９】
前記第２の電極は、前記複数の線状部分の各々が屈曲していることを特徴とする請求項７または請求項８に記載の液晶表示装置。
【請求項１０】
前記複数の線状部分は、前記表示ラインの方向と直交する方向に沿って延在する第１の線状部分と、前記第１の線状部分から前記第１の線状部分に対してθ（但しθ＝７０〜８７°）の傾きを持って突出し、前記第１の線状部分の延在方向に所定の間隔を置いて配置された複数の第２の線状部分と、前記第１の線状部分から前記第２の線状部分とは反対側に前記第１の線状部分に対して−θの傾きを持って突出し、前記第１の線状部分の延在方向に所定の間隔をおいて配置された複数の第３の線状部分とを含み、
前記一方の隣接サブピクセルの前記第２の電極は、前記複数の第３の線状部分の各々が前記一方及び前記他方の隣接サブピクセル間の前記画素境界を越えて前記他方の隣接サブピクセルにも配置され、
前記他方の隣接サブピクセルの前記第２の電極は、前記複数の第３の線状部分の各々が前記一方及び前記他方の隣接サブピクセル間の前記画素境界を越えて前記一方の隣接サブピクセルにも配置されていることを特徴とする請求項７または請求項８に記載の液晶表示装置。
【発明の詳細な説明】
【技術分野】
【０００１】
本発明は、液晶表示装置に関し、特に、カラーフィルタを有する液晶表示装置に適用して有効な技術に関するものである。
【背景技術】
【０００２】
液晶表示装置では、カラー表示するために、表示方式によらずカラーフィルタを備えている。カラーフィルタに使用される色は、赤，緑，青の三色が基本であり、赤，緑，青で１基本単位（１ピクセル又は１画素）を構成している。
本発明は、カラーフィルタを有する液晶表示装置に関するものであり、本発明に関連する先行技術文献としては、以下のものがある。
【特許文献１】特開平１１−８４３６５号公報
【特許文献２】特開２００２−１０７７０９号公報
【特許文献３】特開２００５−６２２２０号公報
【発明の開示】
【発明が解決しようとする課題】
【０００３】
液晶表示装置では、赤，緑，青の各々で混色を避けるため、サブピクセル間にブラックマトリクスなどの遮光膜を設けるのが通常である。遮光膜を設ける主な理由は、以下の通りである。
（１）カラーフィルタの製造工程は、まずブラックマトリクスをホトリソグラフ法により形成し、その後、赤，緑，青の順で同様にホトリソグラフ法で色レジストを形成する。その際、赤，緑，青のホトリソグラフ工程でそれぞれ合わせずれによる色の隙間、あるいは色の重畳が生じるが、それが表示上に現れないように製造マージンを見込んでブラックマトリクスを形成している。
（２）ＴＦＴ基板（アレイ基板）とＣＦ基板（カラーフィルタ基板）を重ね合わせる際には合わせずれが生じる。ずれが大きい場合は隣接するサブピクセルに異なる色が現れる場合があるが、それが表示上に現れないように製造マージンを見込んでブラックマトリクスを形成している。
もしも、遮光膜を設けないと、製造工程の合わせずれが原因で異なる色のサブピクセル間で混色が起きてしまい、色再現性が低下するなど表示品質が著しく低下してしまう。しかしながら、混色を防ぐためにサブピクセル間に遮光膜を設けると開口率が低下してしまうという弊害もある。
画素サイズが大きい場合には影響が少ないが、高精細になり画素サイズが小さくなるに従い、サブピクセル中の遮光膜の占める面積比率が大きくなり、開口率が低下してしまう。開口率が低下すると表示輝度が低下するため、表示品質が著しく低下してしまう。また、表示輝度を保つためにバックライトを明るくすると、消費電力が上昇してしまうという問題もある。
本発明は、前記従来技術の問題点を解決するためになされたものであり、本発明の目的は、液晶表示装置において、開口率を向上させることが可能な技術を提供することにある。
本発明の前記並びにその他の目的と新規な特徴は、本明細書の記述及び添付図面によって明らかになるであろう。
【課題を解決するための手段】
【０００４】
本願において開示される発明のうち、代表的なものの概要を簡単に説明すれば、下記のとおりである。
（１）第１の基板と、第２の基板と、前記第１の基板と前記第２の基板との間に挟持された液晶層とを有する液晶表示パネルを備え、
前記液晶表示パネルは、遮光膜と、マトリクス状に配置された複数のサブピクセルとを有し、前記複数のサブピクセルの各々は、前記第１の基板上に形成された第１の電極と、前記第１の電極よりも上層に形成された第２の電極と、前記第２の基板上に形成されたカラーフィルタとを有し、前記第１の電極と前記第２の電極とによって電界を発生させて前記液晶層の液晶を駆動する液晶表示装置であって、
前記第２の電極は、複数の線状部分を有し、前記複数のサブピクセルは、表示ラインの方向に沿って隣接し、かつ前記カラーフィルタの色が同色の２つの隣接サブピクセルを含み、前記遮光膜は、前記２つの隣接サブピクセル間の画素境界を除いて、前記複数のサブピクセルの各々の画素境界を覆うようにして前記第２の基板上に形成されており、前記２つの隣接サブピクセルの各々の前記第２の電極は、互いに独立して形成され、前記２つの隣接サブピクセルを一方の隣接サブピクセルと他方の隣接サブピクセルとするとき、少なくとも前記一方の隣接サブピクセルの前記第２の電極は、前記一方及び前記他方の隣接サブピクセル間の画素境界を越えて前記他方の隣接サブピクセルにも配置されている。
【０００５】
（２）（１）において、前記一方の隣接サブピクセルの前記第２の電極は、前記複数の線状部分の少なくとも１本の線状部分が前記一方及び前記他方の隣接サブピクセル間の前記画素境界と平面的に重なるようにして配置されている。
（３）（１）において、前記一方の隣接サブピクセルの前記第２の電極は、前記複数の線状部分の少なくとも１本の線状部分が前記他方の隣接サブピクセルの領域に配置されている。
（４）（１）乃至（３）の何れかにおいて、前記２つの隣接サブピクセルは、前記カラーフィルタが共通である。
（５）（１）乃至（４）の何れかにおいて、前記複数のサブピクセルは、第１の色と、第２の色と、第３の色の順に配置された第１のグループの３つのサブピクセルと、前記第３の色と、前記第２の色と、前記第１の色の順に配置された第２のグループの３つのサブピクセルとに分割され、前記第１のグループの３つのサブピクセルと、前記第２のグループの３つのサブピクセルとが、前記表示ラインの方向に交互に配置されている。
（６）（１）乃至（５）の何れかにおいて、前記液晶表示パネルは、前記一方の隣接サブピクセルに映像信号を入力する第１の映像線と、前記他方の隣接サブピクセルに映像信号を入力する第２の映像線とを有し、前記第１の映像線と前記第２の映像線は、前記一方及び前記他方の隣接サブピクセル間の前記画素境界を境にして対向配置されている。
【０００６】
（７）（１）乃至（６）の何れかにおいて、前記第２の電極は、絶縁膜を介在して前記第１の電極よりも上層に積層されている。
（８）（７）において、前記第２の電極は、画素電極であり、前記第１の電極は、面状の対向電極である。
（９）（７）または（８）において、前記第２の電極は、前記複数の線状部分の各々が屈曲している。
（１０）（７）または（８）において、前記複数の線状部分は、前記表示ラインの方向と直交する方向に沿って延在する第１の線状部分と、前記第１の線状部分から前記第１の線状部分に対してθ（但し、θ＝７０〜８７°）の傾きを持って突出し、前記第１の線状部分の延在方向に所定の間隔を置いて配置された複数の第２の線状部分と、前記第１の線状部分から前記第２の線状部分とは反対側に前記第１の線状部分に対して−θの傾きを持って突出し、前記第１の線状部分の延在方向に所定の間隔をおいて配置された複数の第３の線状部分とを含み、
前記一方の隣接サブピクセルの前記第２の電極は、前記複数の第３の線状部分の各々が前記一方及び前記他方の隣接サブピクセル間の前記画素境界を越えて前記他方の隣接サブピクセルにも配置され、
前記他方の隣接サブピクセルの前記第２の電極は、前記複数の第３の線状部分の各々が前記一方及び前記他方の隣接サブピクセル間の前記画素境界を越えて前記一方の隣接サブピクセルにも配置されている。
【発明の効果】
【０００７】
本願において開示される発明のうち代表的なものによって得られる効果を簡単に説明すれば、下記のとおりである。
カラーフィルタを有する液晶表示装置の開口率を向上させることが可能となる。
【発明を実施するための最良の形態】
【０００８】
以下、図面を参照して本発明の実施例を詳細に説明する。なお、発明の実施例を説明するための全図において、同一機能を有するものは同一符号を付け、その繰り返しの説明は省略する。
アクティブマトリクス型液晶表示装置の表示方式は、縦電界方式と横電界（ＩＰＳ：Ｉn-Ｐlane-Ｓwitching）方式に分類することができる。本実施例では、ＩＰＳ方式のアクティブマトリクス型液晶表示装置に本発明を適用した例について説明する。
なお、文字やグラフィックを表示する最小単位のものをドットと呼ぶが、この最小単位のドットを液晶ディスプレイでは画素（ピクセル）と呼ぶ。
また、カラー表示においては、画素を赤（Ｒ），緑（Ｇ），青（Ｂ）の３色に分割するためにＲＧＢ３色を一まとめにして画素（ピクセル）と呼び、ＲＧＢで分割した３分の１（１／３）ドットをサブ画素（サブピクセル）と呼ぶ。ＲＧＢに代えて、シアン、マゼンダ、イエローでもよい。
【０００９】
［実施例１］
本実施例１では、ＩＰＳ方式の全透過型液晶表示装置に本発明を適用した例について説明する。
図１乃至図４は、本発明の実施例１であるＩＰＳ方式の全透過型液晶表示装置に係る図であり、
図１は、液晶表示パネルのカラーフィルタの配置を示す平面図、
図２は、液晶表示パネルのＴＦＴ基板側の画素電極及び対向電極を示す平面図、
図３は、液晶表示パネルのＴＦＴ基板側の画素電極、走査線及び映像線を示す平面図、
図４は、液晶表示パネルの断面構造であって、図１のＡ−Ａ’線に沿った断面構造を示す断面図である。
本実施例１のＩＰＳ方式の全透過型液晶表示装置は、図４に示す液晶表示パネル５１を備えている。液晶表示パネル５１は、図４に示すように、一対のガラス基板（ＳＵＢ１，ＳＵＢ２）の間に、多数の液晶分子からなる液晶層（ＬＣ）を挟持した構成になっており、ガラス基板（ＳＵＢ２）の主面側が観察側となっている。
また、液晶表示パネル５１は、図１に示すように、複数のサブピクセル４０を有している。複数のサブピクセル４０の各々は、図２に示すように、画素電極（ＰＩＸ）と、対向電極（ＣＯＭ；共通電極ともいう）とを有し、更に、赤色（Ｒ）のカラーフィルタＣ１、緑色（Ｇ）のカラーフィルタＣ２、青色（Ｂ）のカラーフィルタＣ３のうちの何れか１つのカラーフィルタを有している。
また、液晶表示パネル５１は、平面的に見たとき、図３に示すように、Ｘ方向に沿って延在する走査線（ＧＬ）と、同一平面内においてＸ方向と直交するＹ方向に沿って延在する映像線（ＤＬ）とを有している。走査線（ＧＬ）は、Ｙ方向に所定の間隔を置いて複数本配置され、映像線（ＤＬ）は、Ｘ方向に所定の間隔を置いて複数本配置されている。
【００１０】
なお、複数のサブピクセル４０は、Ｘ方向及びＹ方向においてマトリスク状に配置されており、Ｘ方向に沿って配置された複数のサブピクセル４０で１表示ラインが構成され、この１表示ラインはＹ方向に複数設けられている。
なお、図１において、４０ｙは、表示ラインの方向（Ｘ方向）に沿って隣接する２つのサブピクセル４０間の画素境界である。４０ｘは、隣接する２つの表示ラインを一方の表示ラインと他方の表示ラインとするとき、一方の表示ラインのサブピクセル４０と他方の表示ラインのサブピクセル４０との間の画素境界、換言すればＹ方向に沿って隣接する２つのサブピクセル４０間の画素境界である。
ここで、赤色のカラーフィルタＣ１を有するサブピクセル４０を単に赤色サブピクセル４０、緑色のカラーフィルタＣ２を有するサブピクセル４０を単に緑色サブピクセル４０、青色のカラーフィルタＣ３を有するサブピクセル４０を単に青色サブピクセル４０と呼ぶこともある。
図３に示すように、各サブピクセル４０は、走査線（ＧＬ）からの走査信号（電圧）によってオン・オフが制御される薄膜トランジスタＴＦＴを有し、この薄膜トランジスタＴＦＴを介して映像信号線（ＤＬ）からの映像信号（電圧）が画素電極（ＰＩＸ）に供給される。走査線（ＧＬ）は、隣接する２つの表示ライン間の画素境界４０ｘと平面的に重なるようにして配置されており、映像線（ＤＬ）は、表示ラインの方向（Ｘ方向）に沿って隣接する２つのサブピクセル４０間の画素境界４０ｙと平面的に重なるようにして配置されている。
【００１１】
図４に示すように、ガラス基板（ＳＵＢ２；ＣＦ基板とも言う）の液晶層（ＬＣ）側には、ガラス基板（ＳＵＢ２）から液晶層（ＬＣ）に向かって順に、遮光膜（ＢＭ；ブラックマトリクス）及び赤・緑・青のカラーフィルタ（Ｃ１，Ｃ２，Ｃ３）、保護膜（ＯＣ）、配向膜（ＡＬ２）等が形成されている。ガラス基板（ＳＵＢ２）の液晶層（ＬＣ）側と反対側の外側には、偏光板（ＰＯＬ２）が配置される。
ガラス基板（ＳＵＢ１；ＴＦＴ基板とも言う）の液晶層（ＬＣ）側には、ガラス基板（ＳＵＢ１）から液晶層（ＬＣ）に向かって順に、走査線（ＧＬ；ゲート線とも言う）（図３参照）、ゲート絶縁膜（ＧＩ）、映像線（ＤＬ；ソース線又はドレイン線とも言う）、絶縁膜（ＰＡＳ１）、絶縁膜（ＰＡＳ２）、対向電極（ＣＯＭ；共通電極とも言う）、絶縁膜（ＰＡＳ３）、画素電極（ＰＩＸ）、配向膜（ＡＬ１）が形成されている。ガラス基板（ＳＵＢ１）の液晶層（ＬＣ）側と反対側の外側には、偏光板（ＰＯＬ１）が配置されている。
画素電極（ＰＩＸ）は、図２及び図３に示すように、走査線（ＧＬ）の延在方向（Ｘ方向）に沿って延びる連結部分２３と、各々が連結部分２３から映像線（ＤＬ）の延在方向に沿って延び、各々が走査線（ＧＬ）の延在方向に沿って所定の間隔を置いて配置された複数の線状部分２１とを有する櫛歯電極構造になっている。
なお、本実施例１では、線状部分２１を画素電極（ＰＩＸ）の一部として説明しているが、線状部分（２１）を画素電極と呼ぶこともある。
【００１２】
対向電極（ＣＯＭ）は、例えば１表示ライン毎に分割して形成されており（必ずしも分割する必要はない）、各々の対向電極（ＣＯＭ）は面状に形成されている。
対向電極（ＣＯＭ）と画素電極（ＰＩＸ）は、図４に示すように、絶縁膜（ＰＡＳ３）を介して積層されており、これによって保持容量を形成している。本実施例１では、画素電極（ＰＩＸ）が対向電極（ＣＯＭ）よりも上層に形成されている。対向電極（ＣＯＭ）及び画素電極（ＰＩＸ）は、例えばＩＴＯ（Ｉndium Ｔin Ｏxide）等の透明導電膜で構成されている。
なお、液晶層（ＬＣ）としては、ポジ型液晶、或いはネガ型液晶が用いられている。
また、偏光板（ＰＯＬ１，ＰＯＬ２）とガラス基板（ＳＵＢ１，ＳＵＢ２）との間に位相差板を配置しても良い。
また、本実施例１では液晶表示パネル５１の基板としてガラス基板を用いているが、基板の材質としては絶縁性であればよいので、ガラスに限らず、プラスチックなどでもよい。
また、図示していないが、ガラス基板（ＳＵＢ１）側の偏光板（ＰＯＬ１）の外側にはバックライトが配置されており、これにより透過型液晶表示装置として機能し、この場合、ガラス基板（ＳＵＢ２）の主面側が観察側となる。
本実施例１のＩＰＳ方式の全透過型液晶表示装置では、画素電極（ＰＩＸ）と対向電極（ＣＯＭ）とによって電界を発生させることにより液晶層（ＬＣ）の液晶分子を面内で再配列させることができる。電界の強弱により液晶層（ＬＣ）の位相差が変化するため、ガラス基板（ＳＵＢ１）側の偏光板（ＰＯＬ１）を通過した直線偏光が液晶層（ＬＣ）で位相を変えられ、反対側の偏光板（ＰＯＬ２）を、「通過する」、「通過しない」を選択することができる。その結果、観察面側では光の明暗が表示できる。
【００１３】
ここで、サブピクセル４０の配置（カラーフィルタの配置）と、遮光膜（ＢＭ）の配置について、図１及び図４を参照しながら説明する。
複数のサブピクセル４０は、赤、緑、青の３色のうち少なくとも何れか１色において、表示ラインの方向（Ｘ方向）に沿って互いに隣接し（互いに隣り合い）、かつカラーフィルタの色が同色の２つのサブピクセル４０（４０ａ，４０ｂ）を含む配置になっている。即ち、複数のサブピクセル４０は、赤、緑、青の３色のうち少なくとも何れか１色において、同色の２つのサブピクセル４０（４０ａ，４０ｂ）が表示ラインの方向に沿って互いに隣接する（互いに隣り合う）配置になっている。本実施例１では、赤、青の２色において、同色の２つのサブピクセル４０が表示ラインの方向に沿って互いに隣接して配置されている。
このような配置は、赤色（Ｃ１）、緑色（Ｃ２）、青色（Ｃ３）の３つのサブピクセル４０がこの順序で配置された第１のグループ（第１のピクセル）ＣＺ１と、青色（Ｃ３）、緑色（Ｃ２）、赤色（Ｃ１）の３つのサブピクセル４０がこの順序で配置された第２のグループ（第２のピクセル）ＣＺ２とに複数のサブピクセル４０を分割し、第１のグループ（ＣＺ１）の３つのサブピクセル４０と、第２のグループ（ＣＺ２）の３つのサブピクセル４０とを表示ラインの方向（Ｘ方向）に交互に配置することによって満たすことができる。
なお、表示ラインの方向（Ｘ方向）に沿って互いに隣接する同色の２つのサブピクセル４０（４０ａ，４０ｂ）においては、カラーフィルタが共通である。本実施例１では、赤、青の２色において、カラーフィルタ（Ｃ１，Ｃ３）が共通である。
また、複数のサブピクセル４０は、図２及び図３に示すように、各々の画素電極（ＰＩＸ）が独立しており、表示ラインの方向（Ｘ方向）に沿って互いに隣接する同色の２つのサブピクセル４０（４０ａ，４０ｂ）においても各々の画素電極（ＰＩＸ）が独立している。
【００１４】
遮光膜（ＢＭ）は、図１及び図４に示すように、表示ラインの方向（Ｘ方向）に沿って互いに隣接する同色の２つのサブピクセル４０（４０ａ，４０ｂ）間の画素境界４０ｙを除いて、複数のサブピクセル４０の各々の画素境界（４０ｘ，４０ｙ）を覆うにようにして形成されている。即ち、表示ラインの方向（Ｘ方向）に沿って互いに隣接する同色の２つのサブピクセル４０（４０ａ，４０ｂ）間の画素境界４０ｙには、遮光膜（ＢＭ）が形成されていない。
【００１５】
表示ラインの方向（Ｘ方向）に沿って隣接する２つのサブピクセル４０（４０ａ，４０ｂ）の各々のカラーフィルタが同色の場合には混色が起こり得ないため、この２つのサブピクセル４０（４０ａ，４０ｂ）間の画素境界４０ｙには遮光膜（ＢＭ）を形成する必要がなくなる。遮光膜（ＢＭ）が不要になれば開口率を向上させることができる。本実施例１では、赤、青の２色において、２つのサブピクセル４０（４０ａ，４０ｂ）が表示ラインの方向（Ｘ方向）に沿って互いに隣接して配置されており、これらのサブピクセル４０（４０ａ，４０ｂ）間の画素境界４０ｙには遮光膜（ＢＭ）が形成されていないため、開口率が向上する。
開口率が向上すれば、液晶表示パネル５１の透過率が向上する。バックライトの輝度が一定であれば、開口率を向上させることにより表示輝度が向上し、表示品質が向上するという利点がある。また、同じ表示輝度を得るためには、開口率を向上させることによりバックライトの輝度を下げ、バックライトの消費電力を低減することができる。
【００１６】
なお、本実施例１では、赤、緑、青の３色のうち、赤、青の２色において、２つのサブピクセル４０が表示ラインの方向に沿って互いに隣り合うように配置された例について説明したが、本発明はこれに限定されるものではなく、例えば赤、緑の２色、又は緑、青の２色であってもよい。
また、赤、緑、青の３色のうちの何れか１色であってもよい。この場合、例えば、赤色（Ｃ１）、緑色（Ｃ２）、青色（Ｃ３）の３つのサブピクセル４０がこの順序で配置された第１のグループ（第１のピクセル）ＣＺ１と、青色（Ｃ３）、赤色（Ｃ１）、緑色（Ｃ２）の３つのサブピクセル４０がこの順序で配置された第２のグループ（第２のピクセル）ＣＺ２とに複数のサブピクセル４０を分割し、第１のグループ（ＣＺ１）の３つのサブピクセル４０と、第２のグループ（ＣＺ２）の３つのサブピクセル４０とを表示ラインの方向（Ｘ方向）に交互に配置することによって満たすことができる。但し、１色の場合は２色の場合と比較して開口率が低下する。
なお、本実施例１では、複数のサブピクセル４０は、隣接する２つの表示ライン間において、同色のサブピクセル４０が隣接するように配置されている。即ち、複数のサブピクセル４０は、隣接する２つの表示ラインを一方の表示ラインと他方の表示ラインとするとき、一方の表示ラインのサブピクセル４０と、他方の表示ラインのサブピクセル４０とが同色同士で互いに隣り合うように配置されている。
【００１７】
なお、前述の特許文献１（特開平１１−８４３６５号公報）、特許文献２（特開２００２−１０７７０９号公報）、特許文献３（特開２００５−６２２２０号公報）には、サブピクセルを、ＲＧＢＢＧＲの順番に配置することが記載されている。
しかしながら、前述の各特許文献には、本実施例のように、表示ラインの方向（Ｘ方向）に沿って互いに隣接する同色の２つのサブピクセル間の画素境界４０ｙに遮光膜（ＢＭ）を形成せずに、開口率を向上させることは記載されていない。
【００１８】
次に、サブピクセル４０の画素電極（ＰＩＸ）について、図２及び図３を参照しながら説明する。
前述したように、サブピクセル４０の画素電極（ＰＩＸ）は、連結部分２３と、複数の線状部分２１とを有する櫛歯電極構造になっている。本実施例１において、表示ラインの方向（Ｘ方向）に沿って互いに隣接する同色の２つのサブピクセル４０（４０ａ，４０ｂ）とそれ以外のサブピクセル４０とでは画素電極（ＰＩＸ）の線状部分２１の本数が異なっている。例えば、図２及び図３に示すように、表示ラインの方向（Ｘ方向）に沿って互いに隣接する同色の２つのサブピクセル４０（４０ａ，４０ｂ）の各々の画素電極（ＰＩＸ）は４本の線状部分２１を有する櫛歯電極構造になっており、それ以外のサブピクセル４０の画素電極ＰＩＸは３本の線状部分２１を有する櫛歯電極構造になっている。
また、表示ラインの方向（Ｘ方向）に沿って互いに隣接する同色の２つのサブピクセル４０（４０ａ，４０ｂ）においては、画素電極（ＰＩＸ）の平面形状が若干異なっている。本実施例１では、例えば、一方のサブピクセル（４０ａ）の画素電極（ＰＩＸ）は、４本の線状部分２１の各々が連結部分２３から映像線（ＤＬ）の延在方向に沿って延びており、その４本の線状部分２１のうち最も他方のサブピクセル（４０ｂ）側に位置する１本が他の３本と比べて短くなっている。他方のサブピクセル４０（４０ｂ）の画素電極（ＰＩＸ）は、４本の線状部分２１のうち最も一方のサブピクセル（４０ａ）側に位置する１本を除いた他の３本の各々が連結部分２３から映像線（ＤＬ）の延在方向に沿って延びており、最も一方のサブピクセル（４０ａ）側に位置する１本がこの１本と隣り合う他の１本と連結部分２３とは反対側において一体に形成されている。この他方のサブピクセル（４０ｂ）の画素電極（ＰＩＸ）においても、４本の線状部分２１のうち最も一方のサブピクセル４０（４０ａ）側に位置する１本が他の３本と比べて短くなっている。
【００１９】
本実施例１では、一方と他方のサブピクセル（４０ａ，４０ｂ）の各々の画素電極（ＰＩＸ）は、複数の線状部分２１の少なくとも１本の線状部分２１が一方と他方のサブピクセル（４０ａ，４０ｂ）間の画素境界４０ｙ（一方と他方のサブピクセル（４０ａ，４０ｂ）間の中心線に相当）と平面的に重なるようにして配置されている。
即ち、本実施例１では、表示ラインの方向（Ｘ方向）に沿って互いに隣接する同色の２つのサブピクセル４０（４０ａ，４０ｂ）間の画素境界４０ｙにおいては、遮光膜（ＢＭ）が形成されず、しかも、一方と他方のサブピクセル４０（４０ａ，４０ｂ）の各々の画素電極（ＰＩＸ）は、複数の線状部分２１の少なくとも１本の線状部分２１が一方と他方のサブピクセル４０（４０ａ，４０ｂ）間の画素境界４０ｙと平面的に重なるようにして配置されているので、液晶層（ＬＣ）の、一方と他方のサブピクセル４０（４０ａ，４０ｂ）間の画素境界４０ｙ付近の液晶分子を駆動することができる。これにより、本実施例１では、一方と他方のサブピクセル４０（４０ａ，４０ｂ）のそれぞれの表示輝度を向上させることができる。
【００２０】
本実施例１では、赤、青の２色において、同色の２つのサブピクセル４０が表示ラインの方向に沿って互いに隣接して配置されている。この赤、青の２色において、表示ラインの方向（Ｘ方向）に沿って互いに隣接する同色の２つのサブピクセル４０（４０ａ，４０ｂ）の各々の画素電極（ＰＩＸ）を画素境界４０ｙを越えて隣のサブピクセル４０にも配置（具体的には、一方のサブピクセル４０ａの画素電極（ＰＩＸ）を他方のサブピクセル４０ｂにも配置，他方のサブピクセル４０ｂの画素電極（ＰＩＸ）を一方のサブピクセル４０ａにも配置）することにより、赤色及び青色の各々のサブピクセル４０において偏光が制御されて出射する光の量を増加させることができる。このように、本実施例では、赤色及び青色の各々のサブピクセル４０の透過効率を向上させることができ、この効率向上分を緑色のサブピクセル４０にも配分する（例えば、緑色のサブピクセル４０の面積を、他の色のサブピクセルよりも大きくする等）ことによって、白色の透過率を向上させることができる。
なお、本実施例１では、表示ラインの方向（Ｘ方向）に沿って互いに隣接する同色の２つのサブピクセル４０（４０ａ，４０ｂ）の各々の画素電極（ＰＩＸ）において、複数の線状部分２１の少なくとも１本の線状部分２１が一方と他方のサブピクセル４０（４０ａ，４０ｂ）間の画素境界４０ｙと平面的に重なるようにして配置した例について説明したが、一方と他方のサブピクセル４０（４０ａ，４０ｂ）のうち少なくとも何れかのサブピクセルの画素電極（ＰＩＸ）において、複数の線状部分２１の少なくとも１本の線状部分２１が一方と他方のサブピクセル４０（４０ａ，４０ｂ）間の画素境界４０ｙと平面的に重なるようにして配置してもよい。
【００２１】
［実施例２］
図５及び図６は、本発明の実施例２であるＩＰＳ方式の全透過型液晶表示装置に係る図であり、
図５は、液晶表示パネルのＴＦＴ基板側の画素電極及び対向電極を示す平面図、
図６は、液晶表示パネルの画素電極、走査線及び映像線を示す平面図である。
本実施例２のＩＰＳ方式の全透過型液晶表示装置は、基本的に前述の実施例１と同様の構成になっており、以下の点が異なっている。
即ち、前述の実施例１では、表示ラインの方向（Ｘ方向）に沿って互いに隣接する同色の２つのサブピクセル４０（４０ａ，４０ｂ）において、一方及び他方のサブピクセル４０（４０ａ）の各々の画素電極（ＰＩＸ）は、複数の線状部分２１の少なくとも１本の線状部分２１が一方と他方のサブピクセル４０（４０ａ，４０ｂ）間の画素境界４０ｙと平面的に重なるようにして配置されているが、本実施例２では、図５及び図６に示すように、一方のサブピクセル（４０ａ）の画素電極（ＰＩＸ）は、複数の線状部分２１の少なくとも１本の線状部分２１が隣の他方のサブピクセル（４０ｂ）の領域に配置され、他方のサブピクセル（４０ｂ）の画素電極（ＰＩＸ）は、複数の線状部分２１の少なくとも１本の線状部分２１が隣の一方のサブピクセル（４０ａ）の領域に配置されている。
このように構成された本実施例２においても、前述の実施例１と同様の効果が得られる。
なお、本実施例２では、一方のサブピクセル（４０ａ）の画素電極（ＰＩＸ）は、複数の線状部分２１の少なくとも１本の線状部分２１が隣の他方のサブピクセル（４０ｂ）の領域に配置され、他方のサブピクセル（４０ｂ）の画素電極（ＰＩＸ）は、複数の線状部分２１の少なくとも１本の線状部分２１が隣の一方のサブピクセル（４０ａ）の領域に配置されているが、一方及び他方のサブピクセル４０（４０ａ，４０ｂ）のうち少なくとも何れかのサブピクセル４０の画素電極（ＰＩＸ）において、複数の線状部分２１の少なくとも１本の線状部分２１を隣のサブピクセル４０に配置するようにしてもよい。
【００２２】
［実施例３］
図７は、本発明の実施例３のＩＰＳ方式の全透過型液晶表示装置において、液晶表示パネルの画素電極、走査線及び映像線を示す平面図である。
本実施例３のＩＰＳ方式の全透過型液晶表示装置は、基本的に前述の実施例１と同様の構成になっており、以下の点が異なっている。
即ち、前述の実施例１では、表示ラインの方向（Ｘ方向）に沿って互いに隣接する同色の２つのサブピクセル４０（４０ａ，４０ｂ）において、一方のサブピクセル（４０ａ）の画素電極（ＰＩＸ）に映像信号を供給する映像線（ＤＬ１）は、図３に示すように、一方のサブピクセル（４０ａ）とこの一方のサブピクセル４０ａに隣接する他のサブピクセル４０との間の画素境界（４０ｙ１）と平面的に重なるようにして配置されており、他方のサブピクセル（４０ｂ）の画素電極（ＰＩＸ）に映像信号を供給する映像線（ＤＬ２）は、図３に示すように、一方のサブピクセル（４０ａ）と他方のサブピクセル（４０ｂ）との間の画素境界（４０ｙ２）と平面的に重なるようにして配置されている。
しかしながら、本実施例３では、図７に示すように、一方のサブピクセル（４０ａ）の画素電極（ＰＩＸ）に映像信号を入力する映像線（ＤＬ１）と、他方のサブピクセル（４０ｂ）の画素電極（ＰＩＸ）に映像信号を入力する映像線（ＤＬ２）は、一方のサブピクセル（４０ａ）と他方のサブピクセル（４０ｂ）との間の画素境界（４０ｙ２）を境にして対向配置されている。本実施例２では、一例として、一方のサブピクセル（４０ａ）の画素電極（ＰＩＸ）に映像信号を入力する映像線（ＤＬ１）は、画素境界（４０ｙ１）と平面的に重なるようにして配置されており、他方のサブピクセル（４０ｂ）の画素電極（ＰＩＸ）に映像信号を入力する映像線（ＤＬ２）は、他方のサブピクセル（４０ｂ）とこの他方のサブピクセル（４０ｂ）と隣接する他のサブピクセル４０側に偏って配置されている。
このように、他方のサブピクセル（４０ｂ）の画素電極（ＰＩＸ）に映像信号を入力する映像線（ＤＬ２）を、他方のサブピクセル（４０ｂ）と隣接する他のサブピクセル４０側に偏って配置することにより、表示ラインの方向（Ｘ方向）に沿って互いに隣接する同色の２つのサブピクセル４０（４０ａ，４０ｂ）において開口率が向上する。
【００２３】
［実施例４］
図８は、本発明の実施例４のＩＰＳ方式の全透過型液晶表示装置において、液晶表示パネルのＴＦＴ基板側の画素電極及び対向電極を示す平面図である。
本実施例４のＩＰＳ方式の全透過型液晶表示装置は、基本的に前述の実施例１と同様の構成になっており、マルチドメイン構造画素電極の構成が以下の点で異なっている。
即ち、本実施例４の画素電極（ＰＩＸ）は、図８に示すように、マルチドメイン構造になっている。
前述の実施例１では、表示ラインの方向（Ｘ方向）に沿って互いに隣接する同色の２つのサブピクセル４０（４０ａ，４０ｂ）の各々の画素電極（ＰＩＸ）において、４本の線状部分が映像線（ＤＬ）の延在方向に沿って延びているが、本実施例４では、４本の線状部分２１のうち一方のサブピクセル（４０ａ）と他方のサブピクセル（４０ｂ）との間の画素境界（４０ｙ）を越えて隣のサブピクセルにも配置される線状部分２１は、その画素境界（４０ｙ）に対して斜めになっており、この画素境界（４０ｙ２）に対して斜めの線状部分を除く他の３本の線状部分は、屈曲している。
このように構成された本実施例２においても、前述の実施例１と同様の効果が得られる。
また、本実施例では、液晶層（ＬＣ）の配向をマルチドメイン化することができ、視野角特性を改善することができる。
【００２４】
［実施例５］
図９は、本発明の実施例５のＩＰＳ方式の全透過型液晶表示装置において、液晶表示パネルのＴＦＴ基板側の画素電極及び対向電極を示す平面図である。
本実施例５のＩＰＳ方式の全透過型液晶表示装置は、基本的に前述の実施例１と同様の構成になっており、画素電極の構成が以下の点で異なっている。
即ち、本実施例５の画素電極（ＰＩＸ）は、図９に示すように、マルチドメイン構造になっている。
マルチドメイン構造の画素電極（ＰＩＸ）は、表示ラインの方向と直交する方向に沿って延在する第１の線状部分２５と、第１の線状部分２５から第１の線状部分２５に対してθの傾きを持って突出し、第１の線状部分２５の延在方向に所定の間隔を置いて配置された複数の第２の線状分部２６と、第１の線状部分２５から第２の線状部分２６とは反対側に第１の線状部分２５に対して−θの傾きを持って突出し、第１の線状部分２５の延在方向に所定の間隔をおいて配置された複数の第３の線状部分２７とを有する構成になっている。なお、θ＝７０〜８７°が望ましい。
表示ラインの方向（Ｘ方向）に沿って互いに隣接する同色の２つのサブピクセル４０（４０ａ，４０ｂ）において、一方のサブピクセル（４０ａ）の画素電極（ＰＩＸ）は、複数の第３の線状部分２７が２つのサブピクセル４０（４０ａ，４０ｂ）間の画素境界（４０ｙ２）を越えて他方のサブピクセル（４０ｂ）にも配置され、他方のサブピクセル４０ｂの画素電極（ＰＩＸ）は、複数の第３の線状部分２７が２つのサブピクセル４０（４０ａ，４０ｂ）間の画素境界（４０ｙ２）を越えて一方のサブピクセル（４０ａ）にも配置されている。
このように構成された本実施例５においても、前述の実施例１と同様の効果が得られる。また、前述の実施例と同様、液晶層（ＬＣ）の配向をマルチドメイン化することができるので、視野角特性を改善することができる。
【００２５】
［実施例６］
図１０は、本発明の実施例６である液晶表示装置において、液晶表示パネルのカラーフィルタの配置を示す平面図である。この図は実施例１の図１に対応するものである。
図１０ではＣ１の色とＣ３の色を１行ごとに入替えている。即ち、互いに隣接する２つの表示ラインを一方の表示ラインと他方の表示ラインとするとき、一方の表示ラインの第１のグループ（第１のピクセル）ＣＺ１と、他方の表示ラインの第２のグループ（第２のピクセル）ＣＺ２とが表示ラインの配列方向（Ｙ方向）に互いに隣接して配置されている。このような配置にすることで、特定の表示画面（例えば市松模様）での表示の不自然さを低減することができる。
【００２６】
［実施例７］
図１１は、本発明の実施例７である液晶表示装置において、液晶表示パネルのカラーフィルタの配置を示す平面図である。この図は実施例１の図１に対応するものである。
図１１では行ごとにＣ１，Ｃ２，Ｃ３の色をずらし、列方向でＣ１，Ｃ２，Ｃ３が周期構造をとるようにしている。このような配置にすることで、特定の表示画面（例えば市松模様）での表示の不自然さを低減することができる。
【００２７】
［実施例８］
図１２は、本発明の実施例８である液晶表示装置において、液晶表示パネルのカラーフィルタの配置を示す平面図である。この図は実施例１の図１に対応するものである。
図１２ではＣ１，Ｃ２，Ｃ３のすべての色をサブピクセル間で隣接するようにしている。このような配置にすることで、すべての色で平均開口率が一定となるので、色バランスの不自然さを低減することができる。また、列方向でもＣ１，Ｃ２，Ｃ３が周期構造をとるようにしているので、特定の表示画面（例えば市松模様）での表示の不自然さを低減することができる。
ここで、本実施例のカラーフィルタの配置について更に説明する。
隣接する３つの表示ラインを上から１段目（図中上段）の表示ライン、２段目（図中中段）の表示ライン、３段目（図中下段）の表示ラインとするとき、１段目の表示ラインは、赤色（Ｃ１）の２つのサブピクセル４０と、青色（Ｃ３）の２つのサブピクセル４０とが夫々隣接するように、赤色（Ｃ１）、緑色（Ｃ２）、青色（Ｃ３）の３つのサブピクセル４０がこの順序で配置された第１のグループ（第１のピクセル）ＣＺ１と、青色（Ｃ３）、緑色（Ｃ２）、赤色（Ｃ１）の３つのサブピクセル４０がこの順序で配置された第２のグループ（第２のピクセル）ＣＺ２とをＸ方向に沿って交互に繰り返し配置した構成になっている。２段目の表示ラインは、緑色（Ｃ２）の２つのサブピクセルと、赤色（Ｃ１）の２つのサブピクセル４０とが夫々隣接するように、緑色（Ｃ２）、青色（Ｃ３）、赤色（Ｃ１）の３つのサブピクセル４０がこの順序で配置された第３のグループ（第３のピクセル）ＣＺ３と、赤色（Ｃ１）、青色（Ｃ３）、緑色（Ｃ２）の３つのサブピクセル４０がこの順序で配置された第４のグループ（第４のピクセル）ＣＺ４とをＸ方向に沿って交互に繰り返し配置した構成になっている。３段目の表示ラインは、青色（Ｃ３）の２つのサブピクセル４０と、緑色（Ｃ２）の２つのサブピクセル４０とが夫々隣接するように、青色（Ｃ３）、赤色（Ｃ１）、緑色（Ｃ２）の３つのサブピクセル４０がこの順序で配置された第５のグループ（第５のピクセル）ＣＺ５と、緑色（Ｃ２）、赤色（Ｃ１）、青色（Ｃ３）の３つのサブピクセル４０がこの順序で配置された第６のグループ（第６のピクセル）ＣＺ６とをＸ方向に沿って交互に繰り返し配置した構成になっている。
【００２８】
［実施例９］
本実施例９では、本発明の効果について示す。
まず、従来の液晶表示装置の構造を説明する。図１８は、従来の液晶表示パネルのカラーフィルタの配置を示す平面図、図１９は、従来の液晶表示パネルの断面構造であって、図１８のＺ−Ｚ’線に沿った断面構造を示す断面図、図２０は、図１９の図に一例の寸法を示した断面図である。
図２０では、１サブピクセル４０の幅は２５．５μｍであり、１画素（１ピクセル）の幅は７６．５μｍ（２５．５μｍ×３）である。遮光膜（ＢＭ）の幅を８μｍとすると１サブピクセル４０の開口幅は１７．５μｍ（２５．５μｍ−８μｍ）であり、１画素の開口幅は５２．５μｍ（１７．５μｍ×３）となる。
次に本発明の液晶表示装置の構造を説明する。図１３は、本発明の実施例９である液晶表示装置において、液晶表示パネルの断面構造であって、図１のＡ−Ａ’線に対応する位置での断面構造を示す断面図である。
図１３では１サブピクセルの幅は２５．５μｍであり、１画素の幅は７６．５μｍ（２５．５μｍ×３）である。遮光膜（ＢＭ）の幅を８μｍとすると１サブピクセル４０の開口幅は、遮光膜（ＢＭ）の一端がないサブピクセルでは１９．５μｍ（２５．５μｍ−４μｍ−２μｍ）、遮光膜（ＢＭ）が両端にあるサブピクセルでは１７．５μｍ（２５．５μｍ−８μｍ）であり、１画素の開口幅は５６．５μｍ（１９．５μｍ×２＋１７．５μｍ×１）となる。
ここで、奥行き方向（Ｙ方向）の長さを従来例と本発明とで同一とすると、開口率は開口幅に比例することになる。従来例と本発明とで開口率（開口幅）を比較すると、
開口率比（本発明／従来）＝５６．５／５２．５≒１．０８
となり、本発明の構成では従来に比べて約８％開口率が向上できる。
なお、本実施例では１サブピクセルの幅が２５．５μｍであるが、１サブピクセルの幅がより小さい高精細パネルにおいては、１サブピクセル内のブラックマトリクスの占める割合が上昇するため、高精細になればなるほど開口率の向上効果が大きくなる。
【００２９】
［実施例１０］
実施例１０では本発明の変形例とその効果について示す。
まず、従来の液晶表示装置の構造を説明する。図２０では１サブピクセル４０の幅は２５．５μｍであり，１画素の幅は７６．５μｍ（２５．５μｍ×３）である。遮光膜（ＢＭ）の幅を８μｍとすると１サブピクセル４０の開口幅は１７．５μｍ（２５．５μｍ−８μｍ）であり、１画素の開口幅は５２．５μｍ（１７．５μｍ×３）となる。
次に本発明の液晶表示装置の構造を説明する。図１４は、本発明の実施例１０である液晶表示装置において、液晶表示パネルの断面構造であって、図１のＡ−Ａ’線に対応する位置での断面構造を示す断面図である。
図１４では１サブピクセル４０の幅を遮光膜（ＢＭ）の一端がないサブピクセル４０と遮光膜（ＢＭ）が両端にあるサブピクセル４０とで変えている。遮光膜（ＢＭ）の一端がないサブピクセル４０の幅は２４．８３μｍ、遮光膜（ＢＭ）が両端にあるサブピクセル４０の幅は２６．８３μｍである。これはすべてのサブピクセル４０で開口幅を一定にするためである。このとき、遮光膜（ＢＭ）の幅を８μｍとすると１サブピクセル４０の開口幅はすべてのサブピクセル４０で１８．８３μｍであり、１画素の開口幅は５６．５μｍ（１８．８３μｍ×３）となる。
ここで、奥行き方向（Ｙ方向）の長さを従来例と本発明とで同一とすると、開口率は開口幅に比例することになる。従来例と本発明とで開口率（開口幅）を比較すると
開口率比（本発明／従来）＝５６．５／５２．５≒１．０８
となり、本発明の構成では従来に比べて約８％開口率が向上できる。
なお、本実施例では１画素の幅が７６．５μｍであるが、１画素の幅がより小さい高精細パネルにおいては、１サブピクセル内のブラックマトリクスの占める割合が上昇するため、高精細になればなるほど開口率の向上効果が大きくなる。
また、本実施例ではすべてのサブピクセル（すべての色）で開口幅が一定であるため、色のバランスが崩れることなく表示することができる。
【００３０】
［実施例１１］
実施例１１は、映像電圧の出力回路に関するものである。従来例の構成図を図２１に示す。なお、図２１において、１３０は映像線駆動回路、１４０は走査線駆動回路である。
従来例ではＲＧＢＲＧＢの順番にサブピクセルが並んでいるため、映像線駆動回路１３０から出力される映像電圧もそれに合わせてＲＧＢＲＧＢの順番に出力している。
一方、本実施例の映像電圧の出力回路の構成を図１５，および図１６に示す。図１５では、ＲＧＢＢＧＲの順番のサブピクセルの配列に従い、映像線駆動回路１３０から出力される映像電圧を、ＲＧＢＢＧＲの順番になるようにしている。
また、図１６では、映像線駆動回路１３０から出力される映像電圧の順番は、従来と同様、ＲＧＢＲＧＢの順番であるが、サブピクセルの配列がＲＧＢＢＧＲの順番であるため、サブピクセルの配列がＢＧＲの順番のグループにおいて、Ｒの映像線とＢの映像線とを交差させて、ＲＧＢＢＧＲの順番に変換している。信号線を交差させる方法としては、層間絶縁膜を介して別の配線にコンタクトホールで接続する方法がある。
【００３１】
［実施例１２］
実施例１２も、映像電圧の出力回路に関するものである。図１７は、本実施例の映像電圧の出力回路の構成を示す図である。なお、図１７において、１３１はＲＧＢ選択回路、１５０は電源である。
本実施例では、１水平走査期間内に、映像線駆動回路１３０から、Ｒ、Ｇ、Ｂの順番に映像電圧が出力される。それに合わせて、ＲＧＢ選択回路１３１により、映像線駆動回路１３０から、Ｒ、Ｇ、Ｂの順番に出力される映像電圧を、Ｒ、Ｇ、Ｂのそれぞれの映像線に供給する。
本実施例では、ＲＧＢ選択回路１３１内のスイッチング素子ＳＷのゲートに印加する制御信号を変更することにより、映像線駆動回路１３０からＲ、Ｇ、Ｂの順番に出力される映像電圧を、ＲＧＢＢＧＲの順番に変換することができる。
以上、本発明者によってなされた発明を、前記実施例に基づき具体的に説明したが、本発明は、前記実施例に限定されるものではなく、その要旨を逸脱しない範囲において種々変更可能であることは勿論である。
例えば、本発明は、有機ＥＬなどの他の形式の表示装置にも適用可能である。
また、本発明は、複数のサブピクセルの各々が透過部と反射部とを有する半透過型液晶表示装置にも適用可能である。
【図面の簡単な説明】
【００３２】
【図１】本発明の実施例１のＩＰＳ方式の全透過型液晶表示装置において、液晶表示パネルのカラーフィルタの配置を示す平面図である。
【図２】本発明の実施例１の液晶表示パネルのＴＦＴ基板側の画素電極及び対向電極を示す平面図である。
【図３】本発明の実施例１の液晶表示パネルのＴＦＴ基板側の画素電極、走査線及び映像線を示す平面図である。
【図４】本発明の実施例１の液晶表示パネルの断面構造であって、図１のＡ−Ａ’に沿った断面構造を示す断面図である。
【図５】本発明の実施例２のＩＰＳ方式の全透過型液晶表示装置において、液晶表示パネルのＴＦＴ基板側の画素電極及び対向電極を示す平面図である。
【図６】本発明の実施例２のＩＰＳ方式の全透過型液晶表示装置において、液晶表示パネルの画素電極、走査線及び映像線を示す平面図である。
【図７】本発明の実施例３のＩＰＳ方式の全透過型液晶表示装置において、液晶表示パネルの画素電極、走査線及び映像線を示す平面図である。
【図８】本発明の実施例４のＩＰＳ方式の全透過型液晶表示装置において、液晶表示パネルのＴＦＴ基板側の画素電極及び対向電極を示す平面図である。
【図９】本発明の実施例５のＩＰＳ方式の全透過型液晶表示装置において、液晶表示パネルのＴＦＴ基板側の画素電極及び対向電極を示す平面図である。
【図１０】本発明の実施例６の液晶表示装置において、液晶表示パネルのカラーフィルタの配置を示す平面図である。
【図１１】本発明の実施例７の液晶表示装置において、液晶表示パネルのカラーフィルタの配置を示す平面図である。
【図１２】本発明の実施例８の液晶表示装置において、液晶表示パネルのカラーフィルタの配置を示す平面図である。
【図１３】本発明の実施例９の液晶表示装置において、液晶表示パネルの断面構造であって、図１のＡ−Ａ’線に対応する位置での断面構造を示す断面図である。
【図１４】本発明の実施例１０である液晶表示装置において、液晶表示パネルの断面構造であって、図１のＡ−Ａ’線に対応する位置での断面構造を示す断面図である。
【図１５】本発明の実施例１１の液晶表示装置において、映像電圧の出力回路に関する第１の構成図である。
【図１６】本発明の実施例１１の液晶表示装置において、映像電圧の出力回路に関する第２の構成図である。
【図１７】本発明の実施例１２の液晶表示装置において、映像電圧の出力回路に関する構成図である。
【図１８】従来の液晶表示装置において、液晶表示パネルのカラーフィルタの配置を示す平面図である。
【図１９】従来の液晶表示パネルの断面構造であって、図１８のＺ−Ｚ’に沿った断面構造を示す断面図である。
【図２０】図１９の図に一例の寸法を示した断面図である。
【図２１】従来の液晶表示装置において、映像電圧の出力回路に関する構成図である。
【符号の説明】
【００３３】
２１，２２  線状部分
２３  連結部分
４０  １サブピクセル（１サブ画素）
４０ｘ，４０ｙ  画素境界
５１  液晶表示パネル
１３０  映像線駆動回路
１３１  ＲＧＢ選択回路
１４０  走査線駆動回路
１５０  電源
ＡＬ１，ＡＬ２  配向膜
ＢＭ  遮光膜（ブラックマトリクス）
Ｃ１，Ｃ２，Ｃ３  カラーフィルタ
ＣＨ  コンタクトホール
ＣＯＭ  対向電極（共通電極）
ＣＺ１〜ＣＺ６  グループ（ピクセル）
ＤＬ  映像線（ドレイン線又はソース線）
ＧＩ  ゲート絶縁膜
ＧＬ  走査線
ＬＣ  液晶層
ＯＣ  保護膜
ＰＡＳ１，ＰＡＳ２，ＰＡＳ３  絶縁膜
ＰＩＸ  画素電極
ＰＯＬ１，ＰＯＬ２  偏光板
ＳＵＢ１，ＳＵＢ２  ガラス基板
【図１】
0004409589.tif 000002
【図２】
0004409589.tif 000003
【図３】
0004409589.tif 000004
【図４】
0004409589.tif 000005
【図５】
0004409589.tif 000006
【図６】
0004409589.tif 000007
【図７】
0004409589.tif 000008
【図８】
0004409589.tif 000009
【図９】
0004409589.tif 000010
【図１０】
0004409589.tif 000011
【図１１】
0004409589.tif 000012
【図１２】
0004409589.tif 000013
【図１３】
0004409589.tif 000014
【図１４】
0004409589.tif 000015
【図１５】
0004409589.tif 000016
【図１６】
0004409589.tif 000017
【図１７】
0004409589.tif 000018
【図１８】
0004409589.tif 000019
【図１９】
0004409589.tif 000020
【図２０】
0004409589.tif 000021
【図２１】
0004409589.tif 000022